【手続補正書】
【提出日】平成22年1月19日(2010.1.19)
【手続補正１】
【補正対象書類名】明細書
【補正対象項目名】０００４
【補正方法】変更
【補正の内容】
【０００４】
特許文献１の第１水平移動プレートは、第１水平ばねにより、第１水平移動プレートを挟むようにして両側から付勢されていて、第２水平移動プレートも、第２水平ばねにより、第２水平移動プレートを挟むようにして両側から付勢されているため、操作部を移動して、例えば第１水平移動プレートを、一方の水平ばねの方向に移動させてから、手を離して原点位置に戻す際に、第１水平移動プレートがばねで挟まれているために、操作部が揺れたり、原点位置からずれて復帰したりする問題があった。
【手続補正２】
【補正対象書類名】明細書
【補正対象項目名】００２１
【補正方法】変更
【補正の内容】
【００２１】
そして、上記第１弾性部材１１が第１圧縮ばね（単に第１ばねとも呼ぶ）１１からなり、上記第１移動体３が上記第１軸線２７の上記原点位置２８にあるときに、上記第１圧縮ばね１１がその両端で上記基部２に支持され、上記第１移動体３が上記第１軸線２７に沿って上記原点位置２８から移動する間に、上記第１圧縮ばね１１が上記基部２と上記第１移動体３との間で圧縮される。これにより、基部２と第１移動体３により第１圧縮ばね１１が圧縮されるので、ポインティングデバイス１の省スペース化を図ることができる。
【手続補正３】
【補正対象書類名】明細書
【補正対象項目名】００２２
【補正方法】変更
【補正の内容】
【００２２】
同様に、上記第２弾性部材１６が第２圧縮ばね（単に第２ばねとも呼ぶ）１６からなり、上記第２移動体４が上記第２軸線２９の上記原点位置３０にあるときに、上記第２圧縮ばね１６がその両端で上記第１移動体３に支持され、上記第２移動体４が上記第２軸線２９に沿って上記原点位置３０から移動する間に、上記第２圧縮ばね１６が上記第１移動体３と上記第２移動体４との間で圧縮される。これにより、第１移動体３と第２移動体４により圧縮ばね１６が圧縮されるので、ポインティングデバイス１の省スペース化を図ることができる。
【手続補正４】
【補正対象書類名】明細書
【補正対象項目名】００２４
【補正方法】変更
【補正の内容】
【００２４】
同様に、上記第１移動体３と上記第２移動体４との間に設けられ、上記第２移動体４を上記第２軸線２９に沿って案内する第２案内部９をさらに具備し、上記第２案内部９の両側の対称位置に、一対の上記第２弾性部材１６が設置される。これにより、第２案内部９の両側の対称の位置に、一対の第２弾性部材１６が設けられたので、第２移動部４をスムーズに摺動できる。
【手続補正５】
【補正対象書類名】明細書
【補正対象項目名】００２５
【補正方法】変更
【補正の内容】
【００２５】
より詳細に説明すると、本発明の第一の実施形態のポインティングデバイス１は、基部２と、上記基部２内の第１移動体３と、上記第１移動体３内の第２移動体４とを有する。上記基部２は、第１案内部１３と、上記第１案内部１３が貫通する第１穴５と、一対の第１ばね押さえ６とを有している。ここで、一対の第１ばね押さえ６は２組ある。上記第１移動体３は、上記第１案内部１３が貫通する第２穴７と、上記第２穴７と直交する方向で、上記第２穴７と交差しない位置に設けられた第３穴８と、上記第３穴８を貫通する第２案内部９と、一対の第２ばね押さえ１０と、上記一対の第１ばね押さえ６で圧縮される第１ばね１１と、上記第１ばね１１を収容する第１ばね受容部１２とを有する。ここで、第１ばね１１と第１ばね受容部１２は、それぞれ２組ずつある。上記第２移動体４は、操作部１４と、上記第２案内部９が貫通する第４穴１５と、上記一対の第２ばね押さえ１０で圧縮される第２ばね１６と、上記第２ばね１６を収容する第２ばね受容部１７とを有する。ここで、一対の第２ばね押さえ１０と第２ばね１６と第２ばね受容部１７は、それぞれ２組ずつある。上記第１ばね受容部１２は、上記第１ばね１１を受容できる凹部１８を有し、上記凹部１８の内側端部で、上記第１ばね１１を圧縮するようにされているとともに、上記凹部１８の内側端部の壁部２０は、上記一対の第１ばね押さえ６が、上記凹部１８の外側から内側にスライド可能にされ、上記第１ばね１１を圧縮可能にするようにされた、スリット２２を有している。上記第２ばね受容部１７は、上記第２ばね１６を受容できる凹部１９を有し、上記凹部１９の内側端部で、上記第２ばね１６を圧縮するようにされているとともに、上記凹部１９の内側端部の壁部２１は、上記一対の第２ばね押さえ１０が、上記凹部１９の外側から内側にスライド可能にされ、上記第２ばね１６を圧縮可能にするようにされた、スリット２３を有している。そして、上記第１ばね受容部１２の上記凹部１８の内側端部と、上記一対の第１ばね押さえ６が、上記第１ばね１１を協働して圧縮することにより、上記第１移動体３を保持し、上記第２ばね受容部１７の上記凹部１９の内側端部と、上記一対の第２ばね押さえ１０が、上記第２ばね１６を協働して圧縮することにより、上記第２移動体４を保持する。これにより、第１移動体３の移動がそれぞれ一対の第１ばね１１に依存し、第２移動体４の移動がそれぞれ一対の第２ばね１６に依存するため操作部１４の揺れが生じにくく、操作部１４を移動させてから、手を離しても、第１移動体３と第２移動体４、すなわち操作部１４の原点位置への正確な復帰が可能となる。
【手続補正６】
【補正対象書類名】明細書
【補正対象項目名】００２６
【補正方法】変更
【補正の内容】
【００２６】
上記第１ばね１１の両端部に挿入される、一対のストッパー２６を有し、上記一対のストッパー２６は、それぞれ２つの端部を有しており、一方の端部には、上記第１ばね１１をはめるようにされた、第１ばね１１の内径より略大きい円筒部分２４が形成され、もう一方の端部には、上記第１ばね受容部１２の上記凹部１８の内側端部の壁部２０に接する端面が形成されている。上記第１ばね受容部１２の上記凹部１８の内側端部と、上記一対の第１ばね押さえ６が、上記第１ばね１１を協働して圧縮するときに、上記端面は、上記第１ばね受容部１２の上記凹部１８の内側端部の壁部２０と上記一対の第１ばね押さえ６に、密着する。同様に、上記第２ばね１６の両端部に挿入される、一対のストッパー２６を有し、上記一対のストッパー２６は、それぞれ２つの端部を有しており、一方の端部には、上記第２ばね１６をはめるようにされた、第２ばね１６の内径より略大きい円筒部分２５が形成され、もう一方の端部には、上記第２ばね受容部１７の上記凹部１９の内側端部の壁部２１に接する端面が形成されている。上記第２ばね受容部１７の上記凹部１９の内側端部と、上記一対の第２ばね押さえ１０が、上記第２ばね１６を協働して圧縮するときに、上記端面は、上記第２ばね受容部１７の上記凹部１９の内側端部の壁部２１と上記一対の第２ばね押さえ１０に、密着する。これにより第２ばね１６を確実に、略垂直に圧縮することができ、更に操作部１４が、揺れを生じにくく、原点位置への復帰が正確にできるようになる。
【手続補正７】
【補正対象書類名】明細書
【補正対象項目名】００３０
【補正方法】変更
【補正の内容】
【００３０】
１    ポインティングデバイス
２    基部
３    第１移動体
４    第２移動体
５    第一穴
６    第１ばね押さえ
７    第２穴
８    第３穴
９    第２案内部
１０    第２ばね押さえ
１１    第１弾性部材（第１圧縮ばね）
１２    第１ばね受容部
１３    第１案内部
１４    操作部
１５    第４穴
１６    第２弾性部材（第２圧縮ばね）
１７    第２ばね受容部
１８    凹部
１９    凹部
２０    内側端部の壁部
２１    内側端部の壁部
２２    スリット
２３    スリット
【手続補正８】
【補正対象書類名】図面
【補正対象項目名】図１
【補正方法】変更
【補正の内容】
【図１】
2008250769.tif 000001